(57)【特許請求の範囲】
【請求項１】
ディスプレイを備えた電子装置を収容するコンピュータハウジングにおいて、
電子装置がそのハウジングに収容された時にディスプレイが覗けるよう、輪郭をとって開けられたディスプレイ開口をその中に有する基材と、
前記ディスプレイ開口を取り囲む前記基材を覆うと共に、前記ディスプレイ開口部分にまでかかって延び、前記ディスプレイに当接するフランジを形成するエラストマー被覆成形材とを有し、
前記エラストマー被覆成形材の前記フランジは、前記ディスプレイのフレームと凹凸係合することによりハウジング内を外部に対してシールすることを特徴とするコンピュータハウジング。
【発明の詳細な説明】
【０００１】
【産業上の利用分野】
本発明は、一般的にはコンピュータに関し、特に、コンピュータハウジングの封止に関するものである。
【０００２】
【従来の技術】
ポータブルコンピュータは益々一般的になってきている。通常ポータブルコンピュータは、保存場所から離れた操作場所に移され、そして保存場所に返される。
【０００３】
【発明が解決しようとする課題】
結果としてポータブルコンピュータは、水分、埃、汚れなどの多くの環境汚染物にさらされている。万一、これらの汚染物がコンピュータハウジングの内部に入りこんでしまう場合、ポータブルコンピュータの操作によくない影響を及ぼすことになる。これらの汚染物がコンピュータハウジングの内部に入りこむ場所は、ユーザーに見えるように輪郭をとって開けられたディスプレイ開口を囲んでいるコンピュータハウジング部分とディスプレイ装置とが当接している部分である。そこで、コンピュータハウジング内部から、水分、埃、汚れなどの環境汚染物を効果的に締め出すポータブルコンピュータが望まれている。
【０００４】
本発明は、コンピュータハウジング内部から水、埃、汚れなどの環境汚染物を効果的に締め出すポータブルコンピュータを提供することを目的とする。
【０００５】
さらに本発明は、丈夫で、かつ組立が容易で製造コストがかさまず、環境に対して保護されたポータブルコンピュータを提供することを目的とする。
【０００６】
【課題を解決するための手段】
前記課題を解決するために、本発明は、ディスプレイを備えた電子装置を収容するコンピュータハウジングにおいて、電子装置がそのハウジングに収容された時にディスプレイが覗けるよう、輪郭をとって開けられたディスプレイ開口をその中に有する基材と、前記ディスプレイ開口を取り囲む前記基材を覆うと共に、前記ディスプレイ開口部分にまでかかって延び、前記ディスプレイに当接するフランジを形成するエラストマー被覆成形材とを有し、前記エラストマー被覆成形材の前記フランジは、前記ディスプレイのフレームと凹凸係合することによりハウジング内を外部に対してシールすることを特徴とする。
【０００７】
【作用】
上記構成により、本発明によれば、コンピュータハウジングは基材部分を有しており、これにディスプレイ開口が設けられている。そしてディスプレイがその電子装置と共にコンピュータハウジングに収容された時、そのディスプレイ開口からディスプレイを見ることができる。さらにコンピュータハウジングは、ディスプレイ開口を取り囲む基材を覆うエラストマー被覆成形材を有しており、この被覆成形材はディスプレイ開口にまでかかって延び、ディスプレイに当接するフランジを形成してハウジングとディスプレイ間を封止する。特に、本発明において、前記フランジは、ディスプレイのフレームと凹凸係合することよりハウジング内を外部に対してシールするようになっている。そのため、ディスプレイ及びその他の電子装置がハウジング内部に収容された時、フランジとディスプレイのフレームとの凹凸係合によるラビリンスシール効果により、水分、埃、汚れなどの環境汚染物がハウジング内に侵入することを確実且つ効果的に防止することができる。
【０００８】
【実施例】
図１に関し、ポータブルコンピュータが参照符号１０により示されている。ポータブルコンピュータ１０はハウジング１２と基部１４からなる。ハウジング１２は上側ハウジング部１６と下側ハウジング部１８からなる。ハウジング部１６と１８は各々基材１９を有し、その基材は被覆成形材２１に覆われ固定されている（詳細は図３〜図６を参照）。基材１９は、第一基材部１９ａと第二基材部１９ｂ（図４参照）からなる。参考例として、基材１９はジェネラル・エレクトリック社（コネチカット州、フェアフィールド）の商標であるノリル（ＮＯＲＹＬ）のような変形ナイロンを原料として作られている。被覆成形材２１はシェル・オイル社（テキサス州、ヒューストン）の商標であるクレイトン（ＫＲＡＹＴＯＮ）のような熱可塑性エラストマーを原料として作られている。図１〜図３に示されるように、上側ハウジング部１６で輪郭がとられた部分はディスプレイ開口２３である。そして上側ハウジング部１６は、参照符号２０によって示される液晶ディスプレイ及びディジタイザー入力装置上に情報を入力する際使われるスタイラス（図示せず）を挟むクリップ２４を有している。さらに、上側ハウジング部１６は複数の第一支持部２６を有し、下側ハウジング部１８は複数の第二支持部２８を有する。第一支持部２６の各々は、上側ハウジング部１６から連続して伸び、上側ハウジング部１６から離れた位置で終結する。そしてナット２９が第一支持部２６の各々の内部に摩擦密着される。第二支持部２８の各々は、下側ハウジング部１８から連続して伸び、下側ハウジング部１８から離れた位置で終結する。さらに第二支持部２８は、各々その中に輪郭をとって開けられた中央穴を有している。ハウジング部１６及び１８が、基部１４とディスプレイ及び入力装置２０とをはさんで組合わさる時、複数の第一支持部２６が複数の第二支持部２８と係合し、コンピュータハウジング１２内で複数の座金、あるいは隔離部分２２をしっかりと締めつけ、ディスプレイ及び入力装置２０をコンピュータハウジング１２内に配置する。そして、ネジ（図示せず）が第二支持部２８の中央穴の各々に通され、対応する第一支持部２６内にあるナット２９を噛み合わすようにぴったりとふさぎ、上側ハウジング部を下側ハウジング部にしっかりと留めて閉める。ディスプレイ及び入力装置２０は電気部品（図示せず）をその上に配したプリント回路基板である基部１４上で支えられ固定される。複数の座金２２は基部１４に固定されている。各々の座金２２はエラストマー材から作られている。参考例として、使用され得るエラストマー材としては、ＥＡＲスペシャリティーコンポジット社（インディアナ州、インディアナポリス）によるモデルＮｏ．ＶＬ−０３（高衝撃吸収材）が利用できる。他に使用され得るエラストマー材としては、３Ｍ社（ミネソタ州、セントポール）の商標でモデルＮｏ．ＳＪ２０１５Ｘとして市販されているスコッチダム（ＳＣＯＴＣＨＤＡＭＰ）がある。ハウジング部１６及び１８が互いに組合わさってその中に基部１４を内包するとき、ディスプレイ及び入力装置２０は、上側ハウジング部１６において輪郭をとり開けられたディスプレイ開口を通して見えるようになっているので、ユーザーはこの開口を通してデータを見たり入力したりすることができる。
【０００９】
図２は上側ハウジング部１６の内部の平面図である。上側ハウジング部１６は、第一基材部１９ａと被覆成形材２１とからなる。第一基材部１９ａの外側全体は被覆成形材２１によってほぼ覆われている。なお、この被覆成形材２１はディスプレイ開口２３の上にまでかかって覆い、図２で示されるように、フランジ、もしくはシール部分３１をつくる。しかしながら、図２に見られるように、第一基材部の内側は被覆成形材２１によって覆われない。フランジ３１において輪郭をとられた部分は上ロック部であり、参照符号３２によって示されている。
【００１０】
図３〜図６に関して、ディスプレイ及び入力装置２０は、その中の様々な構成要素を支えているディスプレイフレーム３４を有している。ディスプレイフレーム３４において輪郭をとられた部分は下ロック部であり、参照符号３６によって示されている。フランジ３１の上ロック部３２は、ディスプレイフレーム３４の下ロック部３６と協同して、被覆成形材２１とディスプレイ及び入力装置２０との間を封止する。特に、上ロック部３２は細長い溝と凸縁との第一のセットを有し、下ロック部３６はこの第一のセットに対して相補的に形成された細長い溝と凸縁との第二のセットを有し、摩擦密着方法でぴったりと合わせることにより、水分、埃、汚れなどの環境汚染物からパーソナルコンピュータ１０のハウジング部内部を密封する。
【００１１】
【発明の効果】
以上説明したように、本発明によれば、コンピュータハウジングはディスプレイ開口を設けた基材部分を有する。さらにコンピュータハウジングは、ディスプレイ開口を取り囲む基材を覆うエラストマー被覆成形材を有しており、この被覆成形材はディスプレイ開口にまでかかって延び、ディスプレイに当接するフランジを形成している。しかも、前記フランジは、ディスプレイのフレームと凹凸係合することよりハウジング内を外部に対してシールするようになっている。そのため、ディスプレイ及びその他の電子装置がハウジング内部に収容された時、フランジとディスプレイのフレームとの凹凸係合によるラビリンスシール効果により、水分、埃、汚れなどの環境汚染物がハウジング内に侵入することを確実且つ効果的に防止することができる。
【図面の簡単な説明】
【図１】本発明の特徴を有するポータブルコンピュータの分解組立斜視図である。
【図２】図１におけるポータブルコンピュータの上側ハウジング部分の内部平面図である。
【図３】図１におけるポータブルコンピュータの部分平面図であり、説明を明確にするため、エラストマー被覆成形部分の一部を取り除いて示している。
【図４】図３の矢印４−４の方向から見た部分断面図である。
【図５】図４で丸で囲み図５と示した部分の拡大図である。
【図６】図５における上ロック部と下ロック部の分解組立断面図である。
【符号の説明】
１６，１８  ハウジング
１９        基材
２０        ディスプレイ及び入力装置
２１        被覆成形材
３１        フランジ
【図１】
0003622996.tif 000002
【図２】
0003622996.tif 000003
【図３】
0003622996.tif 000004
【図４】
0003622996.tif 000005
【図５】
0003622996.tif 000006
【図６】
0003622996.tif 000007